(57)【要約】      （修正有）【課題】先に入れられる調味料を先に出すことが可能であり、賞味期限を超えた調味料を使用することを回避可能な先入れ先出し機能付き調味料ケースを提供する。【解決手段】内部に左収容空間３と右収容空間４が設けられているケース本体６を含む先入れ先出し機能付き調味料ケースにおいて、左収容空間３と右収容空間４は、底端が互いに連通し、上端に仕切板５が設けられており、そのうちの一つを調味料投入口９とし、そのうちの残りを調味料取出口１０とする。【選択図】図１
0003190936.tif 000002
【実用新案登録請求の範囲】
【請求項１】
内部に左収容空間と右収容空間が設けられているケース本体を含む先入れ先出し機能付き調味料ケースにおいて、
前記左収容空間と前記右収容空間は、底端が互いに連通し、上端に仕切板が設けられており、そのうちの一つを調味料投入口とし、そのうちの残りを調味料取出口とすることを特徴とする先入れ先出し機能付き調味料ケース。
【請求項２】
前記ケース本体の後端にハンドルが設けられており、前記ケース本体の底部に台座が設けられており、前記左収容空間と前記右収容空間との底部はほぼＵ字形を呈し、調味料取出口にある調味料が切れたときには、重力により調味料投入口にある調味料が下方に移動することを特徴とする、請求項１に記載の先入れ先出し機能付き調味料ケース。
【請求項３】
前記ケース本体の上方には、円弧形を呈する上蓋が配されており、前記ケース本体に入れられるスプーンが前記ケース本体の上縁から突出しても、前記上蓋は前記ケース本体を被ることが可能であることを特徴とする、請求項１に記載の先入れ先出し機能付き調味料ケース。
【考案の詳細な説明】
【技術分野】
【０００１】
本考案は、調味料ケースに関し、特に、先入れ先出し機能付き調味料ケースに関するものである。
【０００２】
従来の調味料ケースは、図１及び図２に示すように、左収容空間３と、右収容空間４と、を有し、左収容空間３と右収容空間４のうちの一つに塩が入れられ、左収容空間３と右収容空間４のうちの残りに砂糖やうま味調味料が入れられ、その底部が平面である。
【０００３】
従来の調味料ケースは、調味料が切れても、その底部に若干の調味料が残り、そして台所に長期間に置かれるため、外面にオイルが付着されている。従来の調味料ケースの外面に付着するオイルは、強力な洗浄剤を使用しないと、除去することができない。このため、調味料ケースを洗浄することは少ない。また、従来の調味料ケースは、投入される調味料が一杯であるときに、スプーンを調味料ケースの底部まで挿入することができないため、当該スプーンの一部が調味料ケースの上縁から突出する。このように、上蓋は調味料ケースを完全に被ることができず、ゴキブリやアリは調味料ケースに侵入しやすい。
【先行技術文献】
【特許文献】
【０００４】
【特許文献１】なし
【考案の概要】
【考案が解決しようとする課題】
【０００５】
本考案の主な目的は、先に入れられる調味料を先に出すことが可能であり、賞味期限を超えた調味料を使用することを回避可能な先入れ先出し機能付き調味料ケースを提供することにある。
【課題を解決するための手段】
【０００６】
本考案の先入れ先出し機能付き調味料ケースによると、内部に左収容空間と右収容空間が設けられているケース本体を含む先入れ先出し機能付き調味料ケースにおいて、左収容空間と右収容空間は、底端が互いに連通し、上端に仕切板が設けられており、そのうちの一つを調味料投入口とし、そのうちの残りを調味料取出口とすることを特徴とする。
【０００７】
本考案の先入れ先出し機能付き調味料ケースによると、ケース本体の後端にハンドルが設けられており、ケース本体の底部に台座が設けられており、左収容空間と右収容空間との底部はほぼＵ字形を呈し、調味料取出口にある調味料が切れたときには、重力により調味料投入口にある調味料が下方に移動することを特徴とする。
【０００８】
本考案の先入れ先出し機能付き調味料ケースによると、ケース本体の上方には、円弧形を呈する上蓋が配されており、ケース本体に入れられるスプーンがケース本体の上縁から突出しても、上蓋はケース本体を被ることが可能であることを特徴とする。
【考案の効果】
【０００９】
本考案の先入れ先出し機能付き調味料ケースによれば、次のような効果がある。
（１）先に入れられる調味料を先に出すことが可能であり、賞味期限を超えた調味料を使用することを回避することが可能である。
【００１０】
（２）ケース本体の上方には、円弧形を呈する上蓋が配されているため、ケース本体に入れられるスプーンがケース本体の上縁から突出しても、上蓋はケース本体を被ることが可能である。ゴキブリやアリは調味料ケースに侵入することができない。
【図面の簡単な説明】
【００１１】
【図１】従来の調味料ケースを示す上面図である。
【図２】従来の調味料ケースを示す側面図である。
【図３】本考案の一実施例を示す側面図である。
【図４】本考案の一実施例の調味料の投入及び取出しを示す模式図である。
【図５】本考案の一実施例の調味料の一部が取出された状態を示す模式図である。
【図６】本考案の一実施例の調味料の移動を示す模式図である。
【図７】本考案の一実施例の調味料の投入を示す模式図である。
【図８】本考案の一実施例にスプーンを挿入した状態を示す模式図である。
【図９】本考案の一実施例の上蓋を被った状態を示す模式図である。
【考案を実施するための形態】
【００１２】
以下、本考案の実施の形態を図面に基づいて説明する。
【００１３】
本考案の先入れ先出し機能付き調味料ケースは、ケース本体を含む。前記ケース本体の内部には、左収容空間３と右収容空間４が設けられている。左収容空間３と右収容空間４の間には、図３に示すように、Ｕ字形底部１１が形成されている。左収容空間４と右収容空間３は、図３に示すように、上端に仕切板５が設けられており、底端が互いに連通し、図４に示すように、そのうちの一つが調味料１２を投入するための調味料投入口９とし、そのうちの残りが調味料１２を取出すための調味料取出口１０とする。図５を参照する。図５は本考案の一実施例の調味料の一部が取出された状態を示す模式図である。調味料取出口１０にある調味料１２が切れたときには、図６に示すように、重力により調味料投入口９にある調味料１２が下方に移動する。調味料１２を投入したいときには、図７に示すように、調味料投入口９に調味料１２を投入する。このように、先に入れられる調味料を先に出すことが可能であり、賞味期限を超えた調味料を使用することを回避可能である。また、図８に示すように、前記ケース本体の上方には、円弧形を呈する上蓋１が配されている。上蓋１は円弧形を呈するため、前記ケース本体に入れられるスプーン１３が前記ケース本体の上縁から突出しても、図９に示すように、上蓋１は前記ケース本体を被ることが可能である。
【００１４】
前記ケース本体の後端にハンドル２が設けられている。前記ケース本体の底部に台座８が設けられている。
【００１５】
なお、本考案は前記実施の形態に限定されるものではなく、本考案の趣旨に基づいて種々変形させることが可能であり、それらを本考案の範囲から排除するものではない。
【産業上の利用可能性】
【００１６】
本考案は、調味料ケースに適用することができる。
【符号の説明】
【００１７】
１  上蓋
２  ハンドル
３  左収容空間
４  右収容空間
５  仕切板
６  ケース本体
７  仕切板
８  台座
９  調味料入れ口
１０  調味料出口
１１  Ｕ字形底部
１２  調味料
１３  スプーン
１４  上蓋連結用軸
【図１】
0003190936.tif 000003
【図２】
0003190936.tif 000004
【図３】
0003190936.tif 000005
【図４】
0003190936.tif 000006
【図５】
0003190936.tif 000007
【図６】
0003190936.tif 000008
【図７】
0003190936.tif 000009
【図８】
0003190936.tif 000010
【図９】
0003190936.tif 000011